(57)【特許請求の範囲】
【請求項１】
入賞球を感知するための近接スイッチをセット用部材を介して遊技盤の裏面に取り付ける遊技機において、
前記遊技盤の表側から前記セット用部材に前記近接スイッチをセットするための開口部を前記遊技盤に設け、
前記セット用部材は、前記遊技盤の裏側から前記近接スイッチの付け外しを行うための、該近接スイッチを固定する第１の近接スイッチ固定用フックと、前記開口部を介して前記遊技盤の表側から前記近接スイッチの付け外しを行うための、該近接スイッチを固定する第２の近接スイッチ固定用フックとを具え、
前記第１の近接スイッチ固定用フックと前記第２の近接スイッチ固定用フックは、互いに協働して前記近接スイッチを直接保持するために、前記遊技盤の表側と裏側とを通した方向に互いに離間した位置に設けられており、
前記近接スイッチを、前記遊技盤の裏側からおよび前記開口部を介して前記遊技盤の表側からの双方から、前記第１の近接スイッチ固定用フックと前記第２の近接スイッチ固定用フックとの間に付け外し可能とした
ことを特徴とする遊技機。
【請求項２】
前記近接スイッチの付け外しを行う場合に、前記第１の近接スイッチ固定用フックまたは前記第２の近接スイッチ固定用フックの弾性変形を利用することを特徴とする請求項１に記載の遊技機。
【請求項３】
前記セット用部材は、前記遊技機で使用される部品を前記遊技盤の裏面に取り付けるためのセット板と、一体成型されることを特徴とする請求項１または２に記載の遊技機。
【発明の詳細な説明】
【０００１】
【発明の属する技術分野】
本発明は、入賞球を感知するための近接スイッチを具えた遊技機に関する。
【０００２】
【従来の技術】
従来、一般的にパチンコ機と呼ばれる遊技機は、入賞口を持つ役物（チャッカーと呼ぶ）の入賞球を感知するために、近接スイッチを使用している。
【０００３】
近接スイッチは、物体が近づいてくると動作するスイッチであり、無接触で動作し無接点式が多いので、シーケンスの入力としてよく使われる。原理は電波、磁気などを使って物体を検出する方法をとっている。遊技機においては、遊技球の通過を磁気で検出するものがほとんどである。
【０００４】
以下、遊技機における近接スイッチの取付け方法の従来例を説明する。なお、各図面において同様の箇所には同一の符号を付し、説明の重複は省く。
【０００５】
図１は、遊技機の正面概観の一例であり、特に遊技盤の表面全体を示す。図１における遊技機は、遊技盤１０９、チャッカー（この例では左下チャッカーであり、以下、チャッカー（左）と記す）１０１、その他の役物、フロントガラス１０６、金枠１０７、遊技機本体１０８を有する。
【０００６】
遊技盤１０９は、遊技機の役物等を盤面に据え付ける。フロントガラス１０６は金枠１０７に取り付けられており、遊技の際、遊技球が遊技盤１０９とフロントガラス１０６の間を落下する。遊技機本体１０８は、金枠１０７が開閉可能なようにジョイントによって取り付けられており、遊技盤１０９を取り付ける筐体である。
【０００７】
チャッカー（左）１０１は、入賞口を持つ役物の１つである。チャッカー（左）１０１はこの例では一体整形された部品であり、遊技盤１０９に設けた後述のルータ穴（開口部）にはめ込まれている。その詳細を図９に示す。
【０００８】
図９において、チャッカー（左）１０１は左袖入賞口１０２および左落し入賞口１０３を有する。左袖入賞口１０２または左落し入賞口１０３に入賞した遊技球１０４または１０５は、図９中に矢印で示すように落下し、後述のセット板が形成する入賞球誘導路へ入っていく。
【０００９】
図３は、チャッカー（左）１０１を取り外した遊技盤１０９の表面全体を示す。チャッカー（左）１０１がはめ込まれるルータ穴２０２から、遊技盤１０９裏面に取り付けられたセット板２０１、入賞球誘導路３０４、３０５が見える。
【００１０】
ルータ穴２０２は、遊技盤１０９の基盤部材であるベニヤ板にルータで加工した穴である。セット板２０１は、入賞球誘導路３０４、３０５を含む各種入賞球誘導路を形成し、遊技盤１０９裏面に各種部品をセットするための部材である。
【００１１】
図３において、図９の遊技球１０４または１０５は、各々入賞球誘導路３０４、３０５を落下し、誘導される。
【００１２】
入賞口を持つ役物（チャッカー）に入賞した遊技球を感知するための近接スイッチの取付け場所として、例えば、上記の遊技球１０４または１０５を感知するための近接スイッチの取付け場所としては、従来、
▲１▼チャッカー内
（例）左袖入賞口１０２内および左落し入賞口１０３内
または、
▲２▼セット板
（例）セット板２０１が形成する入賞球誘導路３０４内、３０５内
が用いられてきた。
【００１３】
上記▲２▼のセット板に近接スイッチを取り付ける従来の方法は、近接スイッチをセット板に対する一つの向き（遊技盤１０９の裏面）からのみ付け外しする方法である。以下、上記▲２▼のセット板に近接スイッチを取り付ける従来の方法を説明する。
【００１４】
図２は、図１に示した遊技機を裏から見た場合の遊技盤１０９の裏面全体を示す。図２において、２０４、２０５、２０６はケース内に回路基板を有する回路モジュールであり、２０３は遊技盤１０９の基盤部材であるベニヤ板である。
【００１５】
図２では、図６のベニヤ板２０３に図５のセット板２０１を取り付け、さらにその上に、回路モジュール２０４、２０５、２０６その他部品が取り付けられている。
【００１６】
図４は、セット板２０１上の回路モジュール２０４、２０５、２０６その他部品をはずした場合の、遊技盤１０９の裏面の外観を示す。図４の状態で、セット板裏面から、例えばセット板２０１が形成する入賞球誘導路３０４内、３０５内に近接スイッチ７０３を付け外しする。
【００１７】
図４において、取り付けられた近接スイッチ７０３を図９の遊技球１０４または１０５が通過し、チャッカー（左）１０１の入賞が感知される。また、この場合にチャッカー（左）１０１を取り外した場合の、遊技盤１０９を表面から見た近接スイッチ７０３の取付け状態を図３に示す。
【００１８】
図７は、図３で示されるチャッカー（左）１０１を取り外した部分の、近接スイッチ７０３の従来の取付け構造を示す。
【００１９】
図７（ａ）は、遊技盤１０９の正面から見た場合の図３のチャッカー（左）１０１を取り外した部分を示しており、説明の便宜上、図７（ａ）は入賞球誘導路３０５の近接スイッチ７０３をはずした状態を示している。
【００２０】
図７（ｂ）は、図７（ａ）のＢ断面を示す。７０５はベニヤ板表面、７０６はベニヤ板裏面である。近接スイッチ７０３は、近接スイッチ配線７０８の付いた近接スイッチ配線端子７０７が接続されている。７０９はセット板２０１の近接スイッチ固定用フックａである。
【００２１】
図７（ｃ）は、図７（ａ）のＣ断面を示す。Ｃ断面の位置に、入賞球誘導路３０５の近接スイッチ７０３が取り付けられる。７１０は７０９と同様な、セット板２０１の近接スイッチ固定用フックａである。
【００２２】
図７（ｄ）は、図７（ａ）のＡから矢視した場合を示す。図７（ｅ）は、入賞球誘導路３０４の近接スイッチ７０３の取付け構造を斜視図で示している。
【００２３】
図７（ａ）〜（ｄ）において、セット板２０１は遊技盤１０９の裏面に配設してあり、木ねじでベニヤ板裏面７０６に固定されている。近接スイッチ７０３は、近接スイッチ固定用フックａ７０９によりセット板２０１に装着・固定される。
【００２４】
その装着方法は、近接スイッチ固定用フックａ７０９先端がくさび型になっているため、近接スイッチ７０３をベニヤ板裏面７０６に向かって矢印７１１の向きに押し込むことにより、近接スイッチ固定用フックａ７０９が矢印７１２の向きに弾性変形（図７（ｂ）に二点破線で図示）し、押し込み切った所で元の位置に近接スイッチ固定用フックａ７０９が戻り、装着・固定する。
【００２５】
逆に取外し方法は、近接スイッチ固定用フックａ７０９を矢印７１２の向きに弾性変形（図７（ｂ）に二点破線で図示）させ、近接スイッチ７０３をベニヤ板裏面７０６から矢印７１１の逆向きに引き抜くことにより取り外す。
【００２６】
図７（ｅ）からわかるように、近接スイッチ７０３はセット板２０１の構造により、遊技盤１０９の裏面からのみ付け外し可能である。
【００２７】
一方、上記▲１▼のチャッカー内に近接スイッチを取り付ける方法は、近接スイッチ７０３に図７（ｅ）等に示すように近接スイッチ配線端子７０７の接続を要する。そのため、例えばチャッカー（左）１０１内へ近接スイッチ７０３を取り付けてからチャッカー（左）１０１を遊技盤１０９表面に取り付けた後、近接スイッチ７０３への近接スイッチ配線端子７０７の接続および遊技盤１０９裏面の中継基板等へ近接スイッチ配線７０８の接続の工程を要する。なお、中継基板は図４、図５中の４０１、４０２の位置に組みつけられている。
【００２８】
このため、遊技機の工場最終組み立てライン工数を考慮すると上記工程が作業効率を悪くするため、工場最終組み立てラインにおいては、近接スイッチの取付けからその配線まで遊技盤裏面から作業可能な上記▲２▼のセット板に近接スイッチを取り付ける方法が、効率向上のために好まれることが多い。
【００２９】
【発明が解決しようとする課題】
しかしながら、上記▲２▼のセット板２０１に近接スイッチ７０３を取り付ける方法においては、近年の遊技機の遊技内容の多様化に伴い、役物や回路基板が大型化してきている為、近接スイッチ７０３を取り付けるスペースが限られてしまい、回路モジュールその他部品の下に近接スイッチ７０３が位置している。
【００３０】
このため、セット板２０１に取り付けた近接スイッチ７０３を交換する場合、遊技盤の裏面からしか付け外しができない。このため、遊技盤を遊技機本体から外し、遊技盤から回路モジュールその他部品を外さなければならず、パチンコ遊技場等における近接スイッチ交換のためのメンテナンス性が悪い、という解決すべき課題が従来技術にはあった。
【００３１】
そこで本発明の目的は、遊技盤から近接スイッチの部品を容易に付け外し可能な遊技機を提供することにある。
【００３２】
【課題を解決するための手段】
このような目的を達成するために、本発明の遊技機は、入賞球を感知するための近接スイッチをセット用部材を介して遊技盤の裏面に取り付ける遊技機において、前記遊技盤の表側から前記セット用部材に前記近接スイッチをセットするための開口部を前記遊技盤に設け、前記セット用部材は、前記遊技盤の裏側から前記近接スイッチの付け外しを行うための、該近接スイッチを固定する第１の近接スイッチ固定用フックと、前記開口部を介して前記遊技盤の表側から前記近接スイッチの付け外しを行うための、該近接スイッチを固定する第２の近接スイッチ固定用フックとを具え、前記第１の近接スイッチ固定用フックと前記第２の近接スイッチ固定用フックは、互いに協働して前記近接スイッチを直接保持するために、前記遊技盤の表側と裏側とを通した方向に互いに離間した位置に設けられており、前記近接スイッチを、前記遊技盤の裏側からおよび前記開口部を介して前記遊技盤の表側からの双方から、前記第１の近接スイッチ固定用フックと前記第２の近接スイッチ固定用フックとの間に付け外し可能としたことを特徴とする（図８（ａ）〜（ｅ））。
【００３３】
ここで、前記近接スイッチの付け外しを行う場合に、前記第１の近接スイッチ固定用フックまたは前記第２の近接スイッチ固定用フックの弾性変形を利用することを特徴とすることができる（図８（ｂ）、（ｄ）、７１２、８１３）。
【００３４】
また、前記セット用部材は、前記遊技機で使用される部品を前記遊技盤の裏面に取り付けるためのセット板と、一体成型されることを特徴とすることができる（図８（ａ）〜（ｅ）、図１０）。
【００３６】
【発明の実施の形態】
以下、図面を参照して本発明の実施形態を詳細に説明する。
【００３７】
遊技機の機械構造はたとえば、特開平１１−３１９２５２号公報等に示されるような従来例と同様とすることができ、遊技機における従来の近接スイッチの取付け方法は、上述の従来の技術で説明されているので、以下の説明は本発明に関わる構成部とその補足部位のみに留める。なお、上述の従来の技術も含めて各図面において同様の箇所には同一の符号を付し、説明の重複は省く。
【００３８】
図８は、図３で示されるチャッカー（左）１０１を取り外した部分の、近接スイッチ７０３の本実施形態の取付け構造を示す。
【００３９】
図１０は図５のセット板２０１を遊技盤に対して正面の向きから見た場合を示す。図１０において、円１００１で囲まれた部位を図８は示しており、特に円１００２で囲まれた部位が後述の図８（ｂ）、（ｄ）および（ｅ）に示される。
【００４０】
図８（ａ）は、図３のチャッカー（左）１０１を取り外した部分を遊技盤１０９の表面から見た場合を示しており、説明の便宜上、図８（ａ）は入賞球誘導路３０５の近接スイッチ７０３をはずした状態を示している。
【００４１】
図８（ｂ）は、図８（ａ）のＢ断面を示す。８１０は近接スイッチを固定するためのセット板２０１の近接スイッチ固定用フックｂである。入賞球誘導路３０４の近接スイッチ７０３が、近接スイッチ固定用フックａ７０９と近接スイッチ固定用フックｂ８１０の間に挿入されて、セット板２０１に取り付けられる。
【００４２】
図８（ｃ）は、図８（ａ）のＣ断面を示す。Ｃ断面の位置に、入賞球誘導路３０５の近接スイッチ７０３が取り付けられる。８１１は近接スイッチ固定用フックｂ８１０と同様な、セット板２０１の近接スイッチ固定用フックｂである。
【００４３】
図８（ｄ）は、図８（ａ）のＡから矢視した場合を示す。図８（ｅ）は、入賞球誘導路３０４の近接スイッチ７０３の取付け構造の斜視図を示している。
【００４４】
図８（ａ）〜（ｄ）において、セット板２０１は遊技盤１０９の裏面に配設してあり、木ねじでベニヤ板裏面７０６に固定されている。近接スイッチ７０３は、近接スイッチ固定用フックａ７０９および近接スイッチ固定用フックｂ８１０によりセット板２０１に装着・固定される。
【００４５】
本実施形態の第１の装着方法を説明する。図８（ｅ）に示すように、近接スイッチ固定用フックａ７０９先端がくさび型になっている。このため、近接スイッチ７０３をベニヤ板裏面７０６に向かって矢印７１１の向きに押し込むことにより、近接スイッチ固定用フックａ７０９が矢印７１２の向きに弾性変形（図８（ｂ）に二点破線で図示）する。近接スイッチ７０３を押し込み切った所で元の位置に近接スイッチ固定用フックａ７０９が戻り、近接スイッチ７０３が装着・固定される。
【００４６】
上記第１の装着方法により、近接スイッチ７０３はベニヤ板裏面７０６からセット板２０１に押し込むだけでワンタッチで取り付けることができる。
【００４７】
逆に上記第１の装着方法に対して、近接スイッチ７０３を取り外すための第１の取外し方法は、近接スイッチ固定用フックａ７０９を矢印７１２の向きに弾性変形（図８（ｂ）に二点破線で図示）させ、近接スイッチ７０３をベニヤ板裏面７０６から矢印７１１の逆向きに引き抜く。
【００４８】
上記第１の取外し方法は、セット板２０１に取り付けられている近接スイッチ７０３が遊技盤１０９の裏面からすぐ見えるような、メンテナンス性の良い部位にある近接スイッチに対して適用すればよい。
【００４９】
本実施形態では、さらに別の方法で、近接スイッチ７０３を取り付けることができる。本実施形態の第２の装着方法を説明する。近接スイッチ固定用フックｂ８１０を矢印８１３の向きに弾性変形（図８（ｂ）に二点破線で図示）させながら、近接スイッチ７０３をベニヤ板表面７０５に向かって、矢印８１４の逆向きに押し込む。近接スイッチ７０３を押し込み切った所で元の位置に近接スイッチ固定用フックｂ８１０を戻し、近接スイッチ７０３を装着・固定する。
【００５０】
また、上記第２の装着方法に対して、近接スイッチ７０３を取り外すための第２の取外し方法は、近接スイッチ固定用フックｂ８１０を矢印８１３の向きに弾性変形（図８（ｂ）に二点破線で図示）させながら、近接スイッチ７０３をベニヤ板表面７０５から矢印８１４の向きに引き抜く。
【００５１】
以上、説明したように、近接スイッチ７０３は図８（ｅ）に示すセット板２０１の構造により、遊技盤１０９の表面と裏面の両方から付け外し可能とすることができる。
【００５２】
以下、パチンコ遊技場等において、チャッカー（左）１０１の入賞球感知をするための近接スイッチ７０３が不具合を起こしその交換をする場合を例として、上記第２の装着方法および第２の取外し方法による遊技機のメンテナンスを説明する。
【００５３】
図１において、金枠１０７をあけ、遊技盤１０９に据え付けられているチャッカー（左）１０１を外す。チャッカー（左）１０１を外すことにより、図３のように、ルータ穴２０２からセット板２０１が露出する。上記第２の取外し方法により、近接スイッチ７０３を引き抜く。
【００５４】
ここで、近接スイッチ７０３は、図８（ｅ）に示すように近接スイッチ配線７０８のが付いた近接スイッチ配線端子７０７が接続されているので、近接スイッチ配線７０８は予め引き抜き作業を行える程度の長さに設定されているものとする。
【００５５】
引き抜かれた近接スイッチ７０３から近接スイッチ配線端子７０７を外す。新しい近接スイッチ７０３に近接スイッチ配線端子７０７を接続し（近接スイッチ交換）、上記第２の装着方法により新しい近接スイッチ７０３を取り付ける。
【００５６】
チャッカー（左）１０１を図３のルータ穴２０２にはめ込んで遊技盤１０９に据え付け、図１の金枠１０７を閉めてメンテナンス完了となる。
【００５７】
以上、説明したように、本実施形態によれば、近接スイッチ７０３を遊技盤１０９の表面と裏面の両方から付け外しできるようにした。
【００５８】
このため、上記第１の装着方法により近接スイッチ７０３をベニヤ板裏面７０６からセット板２０１にワンタッチで取り付けられるので、従来通りの工場最終組み立てラインの作業効率を損なうことがない。その上、上記第２の装着方法および第２の取外し方法により、近接スイッチ７０３を遊技盤１０９の表面からルータ穴２０２を通して付け外し・交換できるようにしたので、遊技機のメンテナンス性を向上させることが可能となる。
【００５９】
以上述べた実施形態の他に次の形態を実施できる。
１）上述の実施形態では、第２の装着方法は、近接スイッチ固定用フックｂ８１０を矢印８１３の向きに弾性変形（図８（ｂ）に二点破線で図示）させながら、近接スイッチ７０３をベニヤ板表面７０５に向かって、矢印８１４の逆向きに押し込む。
しかし、第１の装着方法の近接スイッチ固定用フックａ７０９先端と同様に、近接スイッチ固定用フックｂ８１０先端をくさび型にし、近接スイッチ７０３をベニヤ板表面７０５に向かって矢印８１４の逆向きに押し込むことにより、近接スイッチ固定用フックｂ８１０が矢印８１３の向きに弾性変形（図８（ｂ）に二点破線で図示）し、押し込み切った所で元の位置に近接スイッチ固定用フックｂ８１０が戻り、装着・固定するようにしてもよい。
２）上述の実施形態では、一体成型されたセット板２０１の近接スイッチ取付け部位に本発明を適用しているが、セット板２０１と近接スイッチのためのセット用部材とを別々に成型し、近接スイッチのためのセット用部材に対して本発明を適用し、セット板２０１と近接スイッチのためのセット用部材とをベニヤ板裏面に組合わせて取り付けるようにしてもよい。
３）上述の実施形態では、近接スイッチの取付け方法について述べているが、上述の取付け方法は近接スイッチに限られるものではなく、工場最終組み立てラインではベニヤ板裏面７０６からセット板２０１に取付けを要し、遊技機のメンテナンス時に遊技盤１０９の表面から付け外し・交換を要する部品に適用可能である。
【００６０】
【発明の効果】
以上、説明したように、本発明によれば、遊技盤の裏側に取り付けられる近接スイッチをセットするためのセット用部材に、近接スイッチ固定用フックを２個設け、一方の近接スイッチ固定用フックの弾性変形を利用して遊技盤の裏側から上記セット用部材に近接スイッチの付け外しを行い、もう一方の近接スイッチ固定用フックの弾性変形を利用して遊技盤の表側から遊技盤の開口部を介して上記セット用部材に近接スイッチの付け外しを行うようにした。
【００６１】
このため、近接スイッチを遊技盤の裏側から上記セット用部材に取り付けられるので、従来通りの工場最終組み立てラインの作業効率を損なうことがなく、近接スイッチを遊技盤の表側から付け外し・交換できるようにしたので、遊技機のメンテナンス性を向上させることができる。
【図面の簡単な説明】
【図１】遊技機の正面全体の従来例を示す説明図である。
【図２】遊技盤の裏面全体の従来例を示す説明図である。
【図３】チャッカー（左）を取り外した遊技盤の正面全体の従来例を示す説明図である。
【図４】セット板設置位置とスイッチ設置位置を示す遊技盤裏面全体の従来例の説明図である。
【図５】遊技盤裏面から見たセット板の従来例を示す説明図である。
【図６】ルータ加工を行ったベニヤ板裏面の従来例を示す説明図である。
【図７】チャッカー（左）を取り外した部分の近接スイッチの従来の取付け構造を示す説明図である。
【図８】本発明実施形態の、チャッカー（左）を取り外した部分の近接スイッチの取付け構造を示す説明図である。
【図９】チャッカー（左）の従来例を示す説明図である。
【図１０】遊技盤正面から見たセット板の従来例を示す説明図である。
【符号の説明】
１０１  チャッカー（左）
１０２  左袖入賞口
１０３  左落し入賞口
１０４，１０５  遊技球
１０６  フロントガラス
１０７  金枠
１０８  遊技機本体
１０９  遊技盤
２０１  セット板
２０２  ルータ穴
２０３  ベニヤ板
２０４、２０５、２０６  回路モジュール
３０４，３０５  入賞球誘導路
４０１、４０２  中継基板組付け位置
７０３  近接スイッチ
７０５  ベニヤ板表面
７０６  ベニヤ板裏面
７０７  近接スイッチ配線端子
７０８  近接スイッチ配線
７０９、７１０  近接スイッチ固定用フックａ
７１１  近接スイッチ差込向き
７１２  近接スイッチ固定用フックａの弾性変形向き
８１０、８１１  近接スイッチ固定用フックｂ
８１３  近接スイッチ固定用フックｂの弾性変形向き
８１４  近接スイッチ引き抜き向き
１００１  図８で示す部位
１００２  図８（ｂ）、（ｄ）および（ｅ）で示す部位
【図１】
0003571995.tif 000002
【図２】
0003571995.tif 000003
【図３】
0003571995.tif 000004
【図４】
0003571995.tif 000005
【図５】
0003571995.tif 000006
【図６】
0003571995.tif 000007
【図７】
0003571995.tif 000008
【図８】
0003571995.tif 000009
【図９】
0003571995.tif 000010
【図１０】
0003571995.tif 000011